(57)【要約】【課題】基地局ファンの制御方法及び装置の提供。【解決手段】基地局ファンの制御方法、装置及びコンピュータ読み取り可能な記録媒体である。その方法は、ファン主制御単板を利用して各単板上の重要デバイスの温度を取得して、基地局ファン速度調整用の第１のＰＷＭ値を算出すること（Ｓ１０１）、ファン主制御単板が各単板の吸気口の温度を取得して、第２のＰＷＭ値を算出すること（Ｓ１０２）、第１、第２のＰＷＭ値に基づいて、基地局ファン速度調整用の最終ＰＷＭ値を確定する（Ｓ１０３）ことを含む。基地局の騒音を低減させ、単板の破損率を低減させ、基地局の温度を安定して制御することができる。【選択図】図１
2020525955.tif 000002
【特許請求の範囲】
【請求項１】
ファン主制御単板が、取得された各単板上の重要デバイスの温度を利用して、基地局ファン速度調整用の第１のパルス幅変調ＰＷＭ値を算出すること、
ファン主制御単板が、取得された各単板の吸気口の温度を利用して、基地局ファン速度調整用の第２のＰＷＭ値を算出すること、
ファン主制御単板が、前記第１のＰＷＭ値と前記第２のＰＷＭ値に基づいて、基地局ファン速度調整用の最終ＰＷＭ値を確定すること
を含む基地局ファンの制御方法。
【請求項２】
ファン主制御単板が、取得された各単板上の重要デバイスの温度を利用して、基地局ファン速度調整用の第１のＰＷＭ値を算出することは、
ファン主制御単板が現在の周期で取得された単板上の重要デバイスの温度及び前の周期で取得された単板上の重要デバイスの温度に基づいて、今回のファン制御に必要な増分ΔＰＷＭを算出すること、
ファン主制御単板が前記重要デバイスのΔＰＷＭ及び前の周期におけるファン速度調整用の最終ＰＷＭ値に基づいて、前記重要デバイスのＰＷＭ値を算出すること、
ファン主制御単板が全ての算出された重要デバイスのＰＷＭ値を比較することにより、最大のＰＷＭ値を基地局ファン速度調整用の第１のＰＷＭ値として選定することを含む、請求項１に記載の方法。
【請求項３】
ファン主制御単板が現在の周期で取得された単板上の重要デバイスの温度及び前の周期で取得された単板上の重要デバイスの温度に基づいて、今回のファン制御に必要な増分ΔＰＷＭを算出することは、
【数１】
2020525955.tif 000010
を含み、
ただし、前記ＫＰは比例係数であり、前記ｔは現在の周期における重要デバイスの温度であり、前記ｔｈｏｐｅは重要デバイスの比例積分微分ＰＩＤ校正温度であり、前記ｔ０は前の周期における重要デバイスの温度であり、前記ＴＩは積分時定数であり、Ｔは温度のサンプリング周期である、請求項２に記載の方法。
【請求項４】
ファン主制御単板が、取得された各単板の吸気口の温度を利用して、基地局ファン速度調整用の第２のＰＷＭ値を算出することは、
ファン主制御単板が取得された単板の吸気口の温度に基づいて、前記単板の線形アルゴリズムを確定すること、
ファン主制御単板が、確定された線形アルゴリズムに基づいて、前記単板のＰＷＭ値を算出すること、
ファン主制御単板が全ての算出された単板のＰＷＭ値を比較することにより、最大のＰＷＭ値を基地局ファン速度調整用の第２のＰＷＭ値として選定することを含む、請求項１に記載の方法。
【請求項５】
前記ファン主制御単板が取得された単板の吸気口の温度に基づいて、前記単板の線形アルゴリズムを確定することは、
取得された単板の吸気口の温度が所定の第１の変曲点温度値より小さい場合、ファン主制御単板が前記単板の線形アルゴリズムがＰＷＭ＝ＰＷＭｍｉｎであると確定し、
取得された単板の吸気口の温度が所定の第１の変曲点温度値より大きくかつ所定の第２の変曲点温度値より小さい場合、ファン主制御単板が前記単板の線形アルゴリズムがＰＷＭ＝ｋｔ＋ｂであると確定し、
取得された単板の吸気口の温度が所定の第２の変曲点温度値より大きい場合、ファン主制御単板が前記単板の線形アルゴリズムがＰＷＭ＝ＰＷＭｍａｘであると確定することを含み、
ただし、前記ＰＷＭｍｉｎとは、基地局が必要とする最小速度調整値を意味し、前記ＰＷＭｍａｘとは、基地局ファンの全速値を意味し、ｋ＞０、−２５５＜ｂ＜０、前記第１の変曲点温度値は前記第２の変曲点温度値より小さい、請求項４に記載の方法。
【請求項６】
取得された各単板上の重要デバイスの温度を利用して、基地局ファン速度調整用の第１のパルス幅変調ＰＷＭ値を算出するように設定されている第１の算出モジュールと、
取得された各単板の吸気口の温度を利用して、基地局ファン速度調整用の第２のＰＷＭ値を算出するように設定されている第２の算出モジュールと、
前記第１のＰＷＭ値と前記第２のＰＷＭ値に基づいて、基地局ファン速度調整用の最終ＰＷＭ値を確定するように設定されている確定モジュールと
を含む、基地局ファンの制御装置。
【請求項７】
前記第１の算出モジュールは、
現在の周期で取得された単板上の重要デバイスの温度及び前の周期で取得された単板上の重要デバイスの温度に基づいて、今回のファン制御に必要な増分ΔＰＷＭを算出するとともに、前記重要デバイスのΔＰＷＭ及び前の周期におけるファン速度調整用の最終ＰＷＭ値に基づいて前記重要デバイスのＰＷＭ値を算出するように設定されている算出ユニットと、
全ての算出された重要デバイスのＰＷＭ値を比較することにより、最大のＰＷＭ値をファン速度調整用の第１のＰＷＭ値として選定するように設定されている選定ユニットとを含む、請求項６に記載の装置。
【請求項８】
前記ΔＰＷＭを算出する式は、
【数２】
2020525955.tif 000011
となり、
ただし、前記ＫＰは比例係数であり、前記ｔは現在の周期における重要デバイスの温度であり、前記ｔｈｏｐｅは重要デバイスの比例積分微分ＰＩＤ校正温度であり、前記ｔ０は前の周期における重要デバイスの温度であり、前記ＴＩは積分時定数であり、Ｔは温度のサンプリング周期である、請求項７に記載の装置。
【請求項９】
前記第２の算出モジュールは、
取得された単板の吸気口の温度に基づいて、前記単板の線形アルゴリズムを確定するように設定されている確定ユニットと、
確定された線形アルゴリズムに基づいて、前記単板のＰＷＭ値を算出するように設定されている算出ユニットと、
全ての算出された単板のＰＷＭ値を比較することにより、最大のＰＷＭ値をファン速度調整用の第２のＰＷＭ値として選定するように設定されている選定ユニットとを含む、請求項６に記載の装置。
【請求項１０】
前記確定ユニットは、
取得された単板の吸気口の温度が所定の第１の変曲点温度値より小さい場合、前記単板の線形アルゴリズムがＰＷＭ＝ＰＷＭｍｉｎであると確定し、取得された単板の吸気口の温度が所定の第１の変曲点温度値より大きくかつ所定の第２の変曲点温度値より小さい場合、前記単板の線形アルゴリズムがＰＷＭ＝ｋｔ＋ｂであると確定し、取得された単板の吸気口の温度が所定の第２の変曲点温度値より大きい場合、前記単板の線形アルゴリズムがＰＷＭ＝ＰＷＭｍａｘであると確定するように設定されている確定サブユニットを含み、
ただし、前記ＰＷＭｍｉｎとは、基地局が必要とする最小速度調整値を意味し、前記ＰＷＭｍａｘとは、基地局ファンの全速値を意味し、ｋ＞０、−２５５＜ｂ＜０、前記第１の変曲点温度値は前記第２の変曲点温度値より小さい、請求項９に記載の装置。
【請求項１１】
プロセッサによって実行されると、請求項１〜５のいずれか１項に記載の方法を実行させる、コンピュータが実行可能な命令を記憶したコンピュータ読み取り可能な記録媒体。
【発明の詳細な説明】
【技術分野】
【０００１】
本発明は無線基地局通信の技術分野に関し、特に基地局ファンの制御方法及び装置に関し、ただし、この限りではない。
【背景技術】
【０００２】
無線基地局は、計算密集型の機器であり、基地局のトラフィック量が多い場合、基地局内の単板のＣＰＵ（Ｃｅｎｔｒａｌ  Ｐｒｏｃｅｓｓｉｎｇ  Ｕｎｉｔ、中央処理装置）及びいくつかのコアチップは大量の熱を発生し、適時に熱を放出しないと、単板の温度が上昇し、ひいては単板が過熱により焼損し、基地局の安定性及び信頼性に大きく影響する。現在のファンの速度調整では、一般的に、例えば線形速度調整、ＰＩＤ（比例（ｐｒｏｐｏｒｔｉｏｎ）、積分（ｉｎｔｅｇｒａｔｉｏｎ）、微分（ｄｉｆｆｅｒｅｎｔｉａｔｉｏｎ））速度調整のような単一の制御方法が採用されている。線形速度調整はファンの振動を招きやすく、大きな騒音を引き起こし、ＰＩＤ速度調整はエンジン等の他の分野に適用されているが、当面は無線基地局の分野に適用されていない。
【発明の概要】
【課題を解決するための手段】
【０００３】
以下、本明細書で詳細に説明する主題の概要である。この概要は、特許請求の範囲の範囲を限定するものではない。
【０００４】
本発明の実施例は、基地局ファンの制御方法及び装置を提供する。
【０００５】
本発明の実施例が提供する基地局ファンの制御方法は、
ファン主制御単板が、取得された各単板上の重要デバイスの温度を利用して、基地局ファン速度調整用の第１のＰＷＭ（Ｐｕｌｓｅ  Ｗｉｄｔｈ  Ｍｏｄｕｌａｔｉｏｎ）値を算出すること、
ファン主制御単板が、取得された各単板の吸気口の温度を利用して、基地局ファン速度調整用の第２のＰＷＭ値を算出すること、
ファン主制御単板が、前記第１のＰＷＭ値と前記第２のＰＷＭ値に基づいて、基地局ファン速度調整用の最終ＰＷＭ値を確定すること
を含む。
【０００６】
本発明の実施例が提供する基地局ファンの制御装置は、
取得された各単板上の重要デバイスの温度を利用して、基地局ファン速度調整用の第１のＰＷＭ値を算出するように設定されている第１の算出モジュールと、
取得された各単板の吸気口の温度を利用して、基地局ファン速度調整用の第２のＰＷＭ値を算出するように設定されている第２の算出モジュールと、
前記第１のＰＷＭ値と前記第２のＰＷＭ値に基づいて、基地局ファン速度調整用の最終ＰＷＭ値を確定するように設定されている確定モジュールと
を含む。
【０００７】
本発明の他の側面は、添付図面及び詳細な説明を読んで理解した後に明らかになるであろう。
【図面の簡単な説明】
【０００８】
【図１】本発明の実施例が提供する基地局ファンの制御方法のフローチャート。
【図２】本発明の実施例が提供する基地局ファンの制御装置の概略図。
【図３】本発明の実施例が提供するＰＩＤ速度調整と線形速度調整を合わせたファン制御のフローチャート。
【図４】本発明の実施例が提供する基地局ファン制御のＰＩＤ方法のフローチャート。
【図５】本発明の実施例が提供する基地局ファン制御の線形速度調整方法のフローチャート。
【発明を実施するための形態】
【０００９】
以下、本発明の好適な実施例について添付図面を参照しながら詳細に説明するが、以下に説明する好適な実施例は単に本発明を説明、解釈するためのものであり、本発明を限定するものではない。
【００１０】
本明細書にいう重要デバイスとは、単板上で重要な役割を果たすデバイス、例えば当該デバイスの良否が当該単板の使用機能に直接的に影響を与えるようなデバイスを意味する。
【００１１】
図１は本発明の実施例が提供する基地局ファンの制御方法のフローチャートであり、図１に示すように、
ステップＳ１０１：ファン主制御単板が、取得された各単板上の重要デバイスの温度を利用して、基地局ファン速度調整用の第１のＰＷＭ値を算出すること、
ステップＳ１０２：ファン主制御単板が、取得された各単板の吸気口の温度を利用して、基地局ファン速度調整用の第２のＰＷＭ値を算出すること、
ステップＳ１０３：ファン主制御単板が、前記第１のＰＷＭ値と前記第２のＰＷＭ値に基づいて、基地局ファン速度調整用の最終ＰＷＭ値を確定すること
を含む。
【００１２】
ここで、ファン主制御単板が、取得された各単板上の重要デバイスの温度を利用して、基地局ファン速度調整用の第１のＰＷＭ値を算出することは、ファン主制御単板が現在の周期で取得された単板上の重要デバイスの温度及び前の周期で取得された単板上の重要デバイスの温度に基づいて、今回のファン制御に必要な増分ΔＰＷＭを算出すること、ファン主制御単板が前記重要デバイスのΔＰＷＭ及び前の周期におけるファン速度調整用の最終ＰＷＭ値に基づいて、前記重要デバイスのＰＷＭ値を算出すること、ファン主制御単板が全ての算出された重要デバイスのＰＷＭ値を比較することにより、最大のＰＷＭ値を基地局ファン速度調整用の第１のＰＷＭ値として選定することを含む。
【００１３】
ここで、ファン主制御単板が、現在の周期で取得された単板上の重要デバイスの温度及び前の周期で取得された単板上の重要デバイスの温度に基づいて、今回のファン制御に必要な増分ΔＰＷＭを算出することは、
【００１４】
【数１】
2020525955.tif 000003
【００１５】
を含み、
ただし、前記ＫＰは比例係数であり、前記ｔは現在の周期における重要デバイスの温度であり、前記ｔｈｏｐｅは重要デバイスのＰＩＤ校正温度であり、前記ｔ０は前の周期における重要デバイスの温度であり、前記ＴＩは積分時定数であり、Ｔは温度のサンプリング周期である。
【００１６】
ここで、ファン主制御単板が、取得された各単板の吸気口の温度を利用して、基地局ファン速度調整用の第２のＰＷＭ値を算出することは、ファン主制御単板が取得された単板の吸気口の温度に基づいて、前記単板の線形アルゴリズムを確定すること、ファン主制御単板が、確定された線形アルゴリズムに基づいて、前記単板のＰＷＭ値を算出すること、ファン主制御単板が全ての算出された単板のＰＷＭ値を比較することにより、最大のＰＷＭ値を基地局ファン速度調整用の第２のＰＷＭ値として選定することを含む。
【００１７】
ここで、ファン主制御単板が取得された単板の吸気口の温度に基づいて、前記単板の線形アルゴリズムを確定することは、取得された単板の吸気口の温度が所定の第１の変曲点温度値より小さい場合、ファン主制御単板が前記単板の線形アルゴリズムがＰＷＭ＝ＰＷＭｍｉｎであると確定し、取得された単板の吸気口の温度が所定の第１の変曲点温度値より大きくかつ所定の第２の変曲点温度値より小さい場合、ファン主制御単板が前記単板の線形アルゴリズムがＰＷＭ＝ｋｔ＋ｂであると確定し、取得された単板の吸気口の温度が所定の第２の変曲点温度値より大きい場合、ファン主制御単板が前記単板の線形アルゴリズムがＰＷＭ＝ＰＷＭｍａｘであると確定することを含み、ただし、前記ＰＷＭｍｉｎとは、基地局が必要とする最小速度調整値を意味し、前記ＰＷＭｍａｘとは、基地局ファンの全速値を意味し、ｋ＞０、−２５５＜ｂ＜０、前記第１の変曲点温度値は前記第２の変曲点温度値より小さい。
【００１８】
本発明の実施例が提供する解決手段によれば、基地局の騒音を低減させ、単板の破損率を低減させることができるという進歩が得られ、基地局の温度を安定して制御する効果が達成され、メンテナンスコストが節減され、基地局の安定性及びメンテナンス性等が向上する。
【００１９】
また、本発明の実施例は、プロセッサによって実行されると、上記の実施例に記載の方法を実行させる、コンピュータが実行可能な命令を記憶したコンピュータ読み取り可能な記録媒体を更に提供する。
【００２０】
図２は本発明の実施例が提供する基地局ファンの制御装置の概略図であり、図２に示すように、取得された各単板上の重要デバイスの温度を利用して、基地局ファン速度調整用の第１のＰＷＭ値を算出するように設定されている第１の算出モジュール２０１と、取得された各単板の吸気口の温度を利用して、基地局ファン速度調整用の第２のＰＷＭ値を算出するように設定されている第２の算出モジュール２０２と、前記第１のＰＷＭ値と前記第２のＰＷＭ値に基づいて、基地局ファン速度調整用の最終ＰＷＭ値を確定するように設定されている確定モジュール２０３とを含む。
【００２１】
ここで、第１の算出モジュール２０１は、現在の周期で取得された単板上の重要デバイスの温度及び前の周期で取得された単板上の重要デバイスの温度に基づいて、今回のファン制御に必要な増分ΔＰＷＭを算出するとともに、前記重要デバイスのΔＰＷＭ及び前の周期におけるファン速度調整用の最終ＰＷＭ値に基づいて前記重要デバイスのＰＷＭ値を算出するように設定されている算出ユニットと、全ての算出された重要デバイスのＰＷＭ値を比較することにより、最大のＰＷＭ値をファン速度調整用の第１のＰＷＭ値として選定するように設定されている選定ユニットとを含む。
【００２２】
前記ΔＰＷＭを算出する式は、以下のとおりである。
【００２３】
【数２】
2020525955.tif 000004
【００２４】
ただし、前記ＫＰは比例係数であり、前記ｔは現在の周期における重要デバイスの温度であり、前記ｔｈｏｐｅは重要デバイスのＰＩＤ校正温度であり、前記ｔ０は前の周期における重要デバイスの温度であり、前記ＴＩは積分時定数であり、Ｔは温度のサンプリング周期である。
【００２５】
ここで、前記第２の算出モジュール２０２は、取得された単板の吸気口の温度に基づいて、前記単板の線形アルゴリズムを確定するように設定されている確定ユニットと、確定された線形アルゴリズムに基づいて、前記単板のＰＷＭ値を算出するように設定されている算出ユニットと、全ての算出された単板のＰＷＭ値を比較することにより、最大のＰＷＭ値をファン速度調整用の第２のＰＷＭ値として選定するように設定されている選定ユニットとを含む。
【００２６】
前記確定ユニットは、取得された単板の吸気口の温度が所定の第１の変曲点温度値より小さい場合、前記単板の線形アルゴリズムがＰＷＭ＝ＰＷＭｍｉｎであると確定し、取得された単板の吸気口の温度が所定の第１の変曲点温度値より大きくかつ所定の第２の変曲点温度値より小さい場合、前記単板の線形アルゴリズムがＰＷＭ＝ｋｔ＋ｂであると確定し、取得された単板の吸気口の温度が所定の第２の変曲点温度値より大きい場合、前記単板の線形アルゴリズムがＰＷＭ＝ＰＷＭｍａｘであると確定するように設定されている確定サブユニットを含んでもよく、ただし、前記ＰＷＭｍｉｎとは、基地局が必要とする最小速度調整値を意味し、前記ＰＷＭｍａｘとは、基地局ファンの全速値を意味し、ｋ＞０、−２５５＜ｂ＜０、前記第１の変曲点温度値は前記第２の変曲点温度値より小さい。
【００２７】
図３は本発明の実施例が提供するＰＩＤ速度調整と線形速度調整を合わせたファン制御のフローチャートであり、以下のモジュールを含む。
Ａ．基地局内の各単板の重要デバイスの温度、吸気口の温度を取得し、ＰＩＤアルゴリズム及び線形速度調整アルゴリズムに入力を提供するように設定されている温度取得モジュール。
Ｂ．増分型ＰＩＤモデルを利用して、入力された重要デバイスの温度に基づいて、今回のΔＰＷＭを得て、前回のΔＰＷＭにＰＷＭを加算して今回のＰＩＤ方法の出力とするように設定されているＰＩＤ速度調整モジュール。
Ｃ．ファンの線形速度調整曲線を利用して、各単板の吸気口の温度に基づいて、各単板のＰＷＭ値を算出して、基地局内の全ての単板の最大のＰＷＭ値を取り、線形速度調整モジュールの出力とするように設定されている線形速度調整モジュール。
Ｄ．現時点でどの方法で速度調整するかを決定するように設定されている決定モジュール。ＰＩＤ方法と線形速度調整方法によるＰＷＭの最大値を取る。
【００２８】
以下、図４及び図５を参照して本発明の実施例の具体的な解決手段を説明する。以下のステップを含む。
第１ステップにおいて、基地局ファン主制御単板が、基地局内の各単板の重要デバイスの温度、吸気口の温度を取得する。
第２ステップにおいて、各単板の重要デバイスの温度に基づいて、ＰＩＤアルゴリズムでΔＰＷＭを算出し、前回のＰＷＭにΔＰＷＭを加算してＰＩＤアルゴリズムの出力であるＰＷＭとする。
【００２９】
パラメータの選択は以下のとおりである。
１．目標関数
ＰＩＤ制御方程式は
【００３０】
【数３】
2020525955.tif 000005
【００３１】
となり、ただし、ｅ（ｔ）は誤差であり、通信機器のファンの速度調整では、この変数は、一般的に、デバイスの時刻ｔにおける温度値と目標温度値との差を取る。Ｋｐ、ＴＩ、ＴＤは、それぞれ比例係数、積分時定数、微分時定数を表す。出力値はファンの回転数となり、ＰＷＭ速度制御のファンでは、この値はデューティ比となる。基地局は増分型ＰＩＤ制御方法を採用する。
【００３２】
従って、目標関数は以下のとおりである。
【００３３】
【数４】
2020525955.tif 000006
【００３４】
速度調整アルゴリズムでは、微分項（ＴＤを含む項）は、現在温度と目標温度との差分値の変化率の大きさに基づいて、速やかで安定する目的を達成するように誤差変動の傾向を見込んでファンの回転数を調整する。しかし、このパラメータが合理的でない場合には、回転数が振動し続けることになる。コミュニケーションシステムは、放熱問題の影響因子が複雑であることから、容易に実現するために、微分項を捨象し、目標関数を以下のように簡略化する。
【００３５】
【数５】
2020525955.tif 000007
【００３６】
基地局ファンの速度調整では、上式は以下の式に等価する。
【００３７】
【数６】
2020525955.tif 000008
【００３８】
ただし、ｔｈｏｐｅは、重要デバイスのＰＩＤ校正温度を示す。ｔは現在読み取ったデバイス温度センサ値を示し、ｔ０は前回のサンプリングで得られたデバイス温度検知値を示し、Ｔは温度のサンプリング周期である。
【００３９】
２．パラメータの選定
ΔＰＷＭ（ｎ）の３つのパラメータの取り得る値の範囲は、次のとおりである。
ＫＰ∈［０．２，２］、ＴＩ∈［２０，５０］、Ｔ∈［３，２０］
【００４０】
ファンが回転数を増加させる必要がある場合には、ΔＰＷＭが正の値となり、ファンが減速する必要がある場合には、ΔＰＷＭが負の値となり、パラメータの確定は絶えずテストすることによって得られる必要がある。
【００４１】
第３ステップにおいて、基地局内の各単板の吸気口の温度に基づいて、線形速度調整方法を適用し、各単板のＰＷＭ値を算出し、最も高いＰＷＭ値を線形速度調整のＰＷＭ値とする。
【００４２】
基地局は複数の異なるタイプの単板を挿入することができ、各種類の単板はそれぞれに特定の速度調整曲線に対応し、各単板の速度調整曲線は単板のデバイス特性によって得られるものであり、単板速度調整曲線は以下のように表すことができる。
【００４３】
【数７】
2020525955.tif 000009
【００４４】
吸気口の温度に応じて、各単板は対応するＰＷＭ値を１つ算出することができ、線形速度調整方法では、基地局のトラフィック量が低いときに単板デバイスが焼損することはない。
【００４５】
第４ステップにおいて、第２ステップ及び第３ステップでのＰＷＭ値に基づいて、２種類の方法で得られたＰＷＭ値を比較し、２種類の方法のうち最大のＰＷＭ値を今回の速度調整のＰＷＭ値として選出する。
【００４６】
本発明の実施例が提供する解決手段によれば、基地局の騒音を低減させ、単板の破損率を低減させることができるという進歩が得られ、基地局の温度を安定して制御する効果が達成され、メンテナンスコストが節減され、基地局の安定性及びメンテナンス性等が向上する。
【００４７】
以下、具体的な例示を２つ挙げる。
【００４８】
例示１
基地局内の単板の種類が異なり、重要デバイスの個数も異なり、ＰＩＤ方法の入力として、単板からなるべく多くの重要デバイスの温度を選択し、このように速度調整に関与する温度が多いほど速度調整が正確になる。
【００４９】
（１）基地局内の全ての単板は同じＰＩＤパラメータを使用する。まず、初期のＰＩＤパラメータ値を確定し、そして、基地局内の単板が適切な温度で作動し、基地局の騒音が許容範囲内にあり、ファンの振動が小さくなるように、異なる温度でＰＩＤの２つのパラメータを最適化し、最終的に、バランスの良いパラメータを１組選択して、ＰＩＤの速度調整パラメータとする。
【００５０】
（２）基地局内の全ての単板は１つの線形速度調整曲線を使用する。まず、初期の曲線を１つ確定し、そして、異なる温度環境において曲線の変曲点と傾きを絶えず調整し、最終的に、バランスの良い、基地局の複数の単板に適応する曲線を１つ確定する。
【００５１】
（３）ＰＩＤ方法のパラメータ及び線形速度調整曲線を確定したら、トラフィック量が大きい場合には、ファンの速度調整にはＰＩＤ速度調整が使用され、基地局が適切な温度に保持され、単板の重要デバイスが正常に作動することが保証される。トラフィック量が小さい場合には、ファンの速度調整には線形速度調整が使用され、単板上の温度検知のないデバイスが焼損されないことが保証される。
【００５２】
例示２
基地局内の単板の種類が異なり、重要デバイスの個数も異なり、ＰＩＤ方法の入力として、単板からなるべく多くの重要デバイスの温度を選択し、このように速度調整に関与する温度が多いほど速度調整が正確になる。
【００５３】
（１）異なる重要デバイスは異なるＰＩＤパラメータを使用する。１つの単板は複数の重要デバイスが速度調整に関与し、個々の重要デバイスのＰＩＤ校正温度が異なるため、ＰＩＤアルゴリズムのパラメータも異なってもよく、１つの重要チップのパラメータ初期値を決め、チップ温度が適切な温度で作動するように、異なる温度でＰＩＤパラメータを絶えず最適化し、最終的に、当該重要チップに適合するＰＩＤパラメータが１組得られる。他の重要チップのＰＩＤパラメータの確定方法は類似する。
【００５４】
（２）異なる単板は異なる速度調整曲線を採用する。１つの特定の単板に対して、初期の線形速度調整曲線を１つ用意して、単板が適切な温度で作動し、単板上の温度検知のないデバイスが焼損されないように単板の温度を絶えず調整しつつ、曲線の変曲点と傾きを調整することで、最終的に、当該単板に適合する線形速度調整曲線を１つ確定する。
【００５５】
（３）ＰＩＤ方法のパラメータ及び線形速度調整曲線を確定したら、トラフィック量が大きい場合には、ファンの速度調整にはＰＩＤ速度調整が使用され、基地局が適切な温度に保持され、単板の重要デバイスが正常に作動することが保証される。トラフィック量が小さい場合には、ファンの速度調整には線形速度調整が使用され、単板上の温度検知のないデバイスが焼損されないことが保証される。
【００５６】
本発明の実施例が提供する解決手段によれば、基地局のトラフィック量が大きい場合には、基地局の単板の重要デバイスが正常に作動できることが保証され、一方、トラフィック量が少ない場合には、単板上の温度センサのないデバイスが正常に作動することが保証され、基地局の温度が常に適当な範囲内に保持される。
【００５７】
当業者であれば理解されるように、本明細書に開示された方法の全部又はいくつかのステップ、システム、装置における機能モジュール／ユニットは、ソフトウェア、ファームウェア、ハードウェア及びそれらの適切な組み合わせとして実施されてもよい。ハードウェアによる実施形態において、上記の説明で言及した機能モジュール／ユニット間の分割は、必ずしも物理的なユニットの分割に対応するとは限らない。例えば、１つの物理的なコンポーネントは複数の機能を有していてもよく、或いは１つの機能又はステップは複数の物理的なコンポーネントによって協働して実行されてもよい。いくつかのコンポーネント又は全てのコンポーネントはプロセッサ、例えばデジタル信号プロセッサ又はマイクロプロセッサによって実行されるソフトウェア又はハードウェアとして実施されてもよく、或いは、集積回路、例えば専用の集積回路として実施されてもよい。このようなソフトウェアはコンピュータ読み取り可能な媒体で配布されてもよく、コンピュータ読み取り可能な媒体は、コンピュータ記憶媒体（又は非一時的な媒体）及び通信媒体（又は一時的な媒体）を含むことができる。当業者に周知のように、コンピュータ記憶媒体という用語は、情報（例えば、コンピュータ読み取り可能な命令、データ構造、プログラムモジュール、又はその他のデータ）を記憶するための任意の方法又は技術において実施される揮発性及び不揮発性、リムーバブル及び非リムーバブル媒体を含む。コンピュータ記憶媒体には、ＲＡＭ、ＲＯＭ、ＥＥＰＲＯＭ、フラッシュメモリ又は他のメモリ技術、ＣＤ−ＲＯＭ、デジタル多用途ディスク（ＤＶＤ）又はその他の光ディスクストレージ、磁気カートリッジ、磁気テープ、磁気ディスクストレージ、またはその他の磁気記憶装置、又は所望の情報を記憶しかつコンピュータによりアクセス可能な任意の他の媒体が含まれるが、それらに限定されない。また、当業者に周知のように、通信媒体は、通常、搬送波やその他の伝送手段といった変調データ信号におけるコンピュータ読み取り可能な命令、データ構造、プログラムモジュール、又はその他のデータを含み、また任意の情報伝送媒体を含み得る。
【００５８】
以上、本発明について詳細に説明したが、本発明はそれに限定されるものではなく、当業者は本発明の原理に基づいて種々の変更が可能である。従って、本発明の原理に従ってなされた変更は、いずれも本発明の保護範囲に入っていると理解されるべきである。
【図１】
2020525955.tif 000012
【図２】
2020525955.tif 000013
【図３】
2020525955.tif 000014
【図４】
2020525955.tif 000015
【図５】
2020525955.tif 000016
【国際調査報告】
2020525955.tif 000017
2020525955.tif 000018
2020525955.tif 000019
2020525955.tif 000020